(57)【要約】【課題】ディスク駆動装置の筐体の形状を行うことによって、光学ディスクの面振れを低減し、光学ディスクへの記録再生のエラーの発生を防ぐ信頼性の高いディスク駆動装置を提供すること【解決手段】ディスク駆動装置１の筐体１０である第１筐体１１の天板１１１における貫通孔１１３と第１端面１３との一方向の間には、傾斜面１１１５が形成される。この傾斜面１１１５は、中央部１１１５ａから側板１１２に向かい軸方向上側に傾斜するように形成される。すなわち、傾斜面１１１５は、中央部１１１５ａから側板１１２に向かい、ディスクＤの上面と傾斜面１１１５との軸方向の距離が大きくなるように形成される。【選択図】図５
2009048700.tif 000002
【特許請求の範囲】
【請求項１】
ディスク駆動装置であって、
略直方体形状の筐体と、略円板状のディスクを載置する載置部を有する一方向に移動可能であるトレイと、
前記筐体内に配置され、前記ディスクを載置するターンテーブルを有し、該ターンテーブルに載置した前記ディスクを所定の中心軸に沿って回転させるスピンドルモータと、
前記ディスクより軸方向上側に配置され、前記ターンテーブルと軸方向に前記ディスクを挟むことによって前記ディスクを保持するクランプ部材と、
を備え、
前記筐体には、前記ターンテーブルより軸方向上側の面である天板と、前記ターンテーブルの両側にあり、互いに対向する一対の側板と、が設けられ、
前記天板の下面は、前記側板に向かい前記ディスクの上面との軸方向の距離が大きくなるように形成される傾斜面を有すること、
を特徴とするディスク駆動装置。
【請求項２】
請求項１に記載のディスク駆動装置であって、
前記傾斜面は、前記側板の端部に接続されることを特徴とするディスク駆動装置。
【請求項３】
請求項１および請求項２のいずれかに記載のディスク駆動装置であって、
前記傾斜面は、前記天板を折り曲げることによって形成されることを特徴とするディスク駆動装置。
【請求項４】
請求項１乃至請求項３のいずれかに記載のディスク駆動装置であって、
前記傾斜面は、前記クランプ部材と前記筐体の一面との一方向の間に形成されることを特徴とするディスク駆動装置。
【請求項５】
請求項１乃至請求項４のいずれかに記載のディスク駆動装置であって、
前記傾斜面は、前記中心軸の両側にあり、互いに対向して２つ形成され、
前記２つの傾斜面は、前記中心軸と交差する平面部にて連結されることを特徴とするディスク駆動装置。
【請求項６】
請求項４に記載のディスク駆動装置であって、
前記傾斜面は、前記クランプ部材と前記筐体の一面との一方向の間のすべてに形成されることを特徴とするディスク駆動装置。
【請求項７】
請求項１乃至請求項６のいずれかに記載のディスク駆動装置であって、
前記傾斜面における最も軸方向下側の位置と前記傾斜面における最も軸方向上側の位置との差は、１ｍｍ〜４ｍｍの範囲であることを特徴とするディスク駆動装置。
【請求項８】
請求項７に記載のディスク駆動装置であって、
前記傾斜面における最も軸方向下側の位置と前記傾斜面における最も軸方向上側の位置との差は、略２．６ｍｍであることを特徴とするディスク駆動装置。
【請求項９】
請求項１乃至請求項６のいずれかに記載のディスク駆動装置であって、
前記傾斜面と中心軸とが成す鋭角は、８５°以上９０°未満であることを特徴とするディスク駆動装置。
【請求項１０】
ディスク駆動装置であって、
略直方体形状の筐体と、
円盤状のディスクを載置する載置部を有する一方向に移動可能であるトレイと、
前記筐体内に配置され、前記ディスクを載置するターンテーブルを有し、該ターンテーブルに載置した前記ディスクを所定の中心軸に沿って回転させるスピンドルモータと、
前記ディスクより軸方向上側に配置され、前記ターンテーブルと軸方向に前記ディスクを挟むことによって前記ディスクを保持するクランプ部材と、
を備え、
前記筐体には、前記ターンテーブルより軸方向上側の面である天板と、前記ターンテーブルの両側にあり、互いに対向する一対の側板と、が設けられ、
前記天板の下面は、前記ディスクの中央部と前記ディスクの前記中央部より前記側板側の部位とにおいて、前記ディスクの上面と前記天板の下面との軸方向の距離が異なる形状である変形部を有すること、
を特徴とするディスク駆動装置。
【請求項１１】
ディスク駆動装置であって、
筐体と、
前記筐体内に配置され、前記ディスクを載置するターンテーブルを有し、該ターンテーブルに載置した前記ディスクを所定の中心軸に沿って回転させるスピンドルモータと、
を備え、
前記筐体には、前記ターンテーブルより軸方向上側の面である天板と、前記ターンテーブルの両側にあり、互いに対向する一対の側板と、が設けられ、
前記天板の下面は、前記ディスクの中央部と前記ディスクの前記中央部より前記側板側の部位とにおいて、前記ディスクの上面と前記天板の下面との軸方向の距離が異なる形状である変形部を有すること、
を特徴とするディスク駆動装置。
【請求項１２】
請求項１０および請求項１１のいずれかに記載のディスク駆動装置であって、
前記変形部は、前記クランプ部材と前記筐体の一面との前記一方向の間に形成されることを特徴とするディスク駆動装置。
【発明の詳細な説明】
【技術分野】
【０００１】
本発明は、光学ディスクの記録再生を行うディスク駆動装置に関する。特に、光学ディスクの面振れを改善する技術に関する。
【背景技術】
【０００２】
近年、ＣＤ、および、ＤＶＤ等の光学ディスクを記録再生するディスク駆動装置の高倍速化の要求が厳しくなってきている。そのため、ディスク駆動装置での光学ディスクの回転数は、毎分１０，０００回転以上（以下、単に１０，０００ｒｐｍとする）に使用されることがある（従来のディスク駆動装置については、特許文献１参照）。
【０００３】
また、ＤＶＤでは、ＣＤよりも記録密度が高いために、ＤＶＤが面振れを生じると記録再生エラーとなってしまうことがある。そのために、高精度な面振れ精度が要求されている。面振れの原因の一つとして、光学ディスクの固有振動数であるディスク振動モードがある。特に、１０，０００ｒｐｍ以上の高速回転においては、２５０Ｈｚ以下の低周波領域に多数のディスク振動モードが存在する。
【０００４】
【特許文献１】特開２０００−５７６６６号公報
【発明の開示】
【発明が解決しようとする課題】
【０００５】
ここで、光学ディスクを１０，０００ｒｐｍ以上にて回転させた場合、光学ディスクの振動モードと、光学ディスクの励振周波数とが一致してしまうと、共振が発生する。また、光学ディスクの周囲の高速な空気の流れによる励振力によって、不安定なフラッタ現象が発生することもある。その結果、光学ディスクの面振れが非常に大きくなり、光学ディスクへの記録再生のエラーが発生してしまう可能性がある。特に記録密度の高いＤＶＤでは、光学ディスクの面振れにより、記録再生のエラーが発生しやすいために、光学ディスクの面振れ低減要求は厳しい。
【０００６】
本発明は、上記問題に鑑み、なされたものであり、その目的とするところは、ディスク駆動装置の筐体の形状を適正に調整することによって、光学ディスクの面振れを低減し、光学ディスクへの記録再生のエラーの発生を防ぐ信頼性の高いディスク駆動装置を提供することを目的とする。
【課題を解決するための手段】
【０００７】
本発明の請求項１によれば、ディスク駆動装置であって、略直方体形状の筐体と、略円板状のディスクを載置する載置部を有する一方向に移動可能であるトレイと、前記筐体内に配置され、前記ディスクを載置するターンテーブルを有し、該ターンテーブルに載置した前記ディスクを所定の中心軸に沿って回転させるスピンドルモータと、前記ディスクより軸方向上側に配置され、前記ターンテーブルと軸方向に前記ディスクを挟むことによって前記ディスクを保持するクランプ部材と、を備え、前記筐体には、前記ターンテーブルより軸方向上側の面である天板と、前記ターンテーブルの両側にあり、互いに対向する一対の側板と、が設けられ、前記天板の下面は、前記側板に向かい前記ディスクの上面との軸方向の距離が大きくなるように形成される傾斜面を有すること、を特徴とする。
【０００８】
本発明の請求項２によれば、請求項１に係り、前記傾斜面は、前記側板の端部に接続されることを特徴とする。
【０００９】
本発明の請求項３によれば、請求項１および請求項２のいずれかに係り、前記傾斜面は、前記天板を折り曲げることによって形成されることを特徴とする。
【００１０】
本発明の請求項４によれば、請求項１乃至請求項３のいずれかに係り、前記傾斜面は、前記クランプ部材と前記筐体の一面との一方向の間に形成されることを特徴とする。
【００１１】
本発明の請求項５によれば、請求項１乃至請求項４のいずれかに係り、請求項１乃至請求項４のいずれかに記載のディスク駆動装置であって、前記傾斜面は、前記中心軸の両側にあり、互いに対向して２つ形成され、前記２つの傾斜面は、前記中心軸と交差する平面部にて連結されることを特徴とする。
【００１２】
本発明の請求項６によれば、請求項４に係り、前記傾斜面は、前記クランプ部材と前記筐体の一面との一方向の間のすべてに形成されることを特徴とする。
【００１３】
本発明の請求項７によれば、請求項１乃至請求項６のいずれかに係り、前記傾斜面における最も軸方向下側の位置と前記傾斜面における最も軸方向上側の位置との差は、１ｍｍ〜４ｍｍの範囲であることを特徴とする。
【００１４】
本発明の請求項８によれば、請求項７に係り、前記傾斜面における最も軸方向下側の位置と前記傾斜面における最も軸方向上側の位置との差は、略２．６ｍｍであることを特徴とする。
【００１５】
本発明の請求項９によれば、請求項１乃至請求項６のいずれかに係り、前記傾斜面と中心軸とが成す鋭角は、８５°以上９０°未満であることを特徴とする。
【００１６】
本発明の請求項１０によれば、ディスク駆動装置であって、略直方体形状の筐体と、円盤状のディスクを載置する載置部を有する一方向に移動可能であるトレイと、前記筐体内に配置され、前記ディスクを載置するターンテーブルを有し、該ターンテーブルに載置した前記ディスクを所定の中心軸に沿って回転させるスピンドルモータと、前記ディスクより軸方向上側に配置され、前記ターンテーブルと軸方向に前記ディスクを挟むことによって前記ディスクを保持するクランプ部材と、を備え、前記筐体には、前記ターンテーブルより軸方向上側の面である天板と、前記ターンテーブルの両側にあり、互いに対向する一対の側板と、が設けられ、前記天板の下面は、前記ディスクの中央部と前記ディスクの前記中央部より前記側板側の部位とにおいて、前記ディスクの上面と前記天板の下面との軸方向の距離が異なる形状である変形部を有すること、を特徴とする。
【００１７】
本発明の請求項１１によれば、ディスク駆動装置であって、筐体と、前記筐体内に配置され、前記ディスクを載置するターンテーブルを有し、該ターンテーブルに載置した前記ディスクを所定の中心軸に沿って回転させるスピンドルモータと、を備え、前記筐体には、前記ターンテーブルより軸方向上側の面である天板と、前記ターンテーブルの両側にあり、互いに対向する一対の側板と、が設けられ、前記天板の下面は、前記ディスクの中央部と前記ディスクの前記中央部より前記側板側の部位とにおいて、前記ディスクの上面と前記天板の下面との軸方向の距離が異なる形状である変形部を有すること、を特徴とする。
【００１８】
本発明の請求項１２によれば、請求項１０および請求項１１のいずれかに係り、前記変形部は、前記クランプ部材と前記筐体の一面との前記一方向の間に形成されることを特徴とする。
【発明の効果】
【００１９】
本発明によれば、ディスク駆動装置の筐体の形状を適正に調整することによって、光学ディスクの面振れを低減し、光学ディスクへの記録再生のエラーの発生を防ぐ信頼性の高いディスク駆動装置を提供することができる。
【００２０】
特に、本発明のディスク駆動装置の天板に、中央部から側板に向かい上側に傾斜する傾斜面を設けることによって、高速回転における光学ディスクの面振れを大幅に低減することができる。この傾斜面は、クランプ部材と筐体の一面との間に形成されるときに、高速回転における光学ディスクの面振れを効果的に低減することができる。
【００２１】
また天板を折り曲げることによって傾斜面を設けることによって、部品点数の増加を防ぐことができる。したがって、ディスクの面振れを低減したディスク駆動装置を安価に提供することができる。
【００２２】
また傾斜面における最も軸方向下側の位置と最も軸方向上側の位置との差は、１mm〜４mmが望ましく、特に傾斜面における最も軸方向下側の位置と最も軸方向上側の位置との差が約２．６mmのときには、高速回転における光学ディスクの面振れを最も効果的に低減することができる。また、ディスクの回転中心となる中心軸と傾斜面とが成す鋭角は、８５°以上９０°未満であることが望ましい。
【発明を実施するための最良の形態】
【００２３】
＜ディスク駆動装置＞
本発明のディスク駆動装置の実施例の一形態について図１乃至図３を用いて説明する。図１は、ディスク駆動装置の外形を示した、模式斜視図である。図２は、ディスク駆動装置の内部構造を示した、模式平面図である。図３は、光学ディスクをディスク駆動装置に挿入した状態を示した模式断面図である。
【００２４】
図１乃至図３を参照して、ディスク駆動装置１は、外形形状を構成する筐体１０と、ディスクＤを筐体１０へ挿入および排出を行うトレイ２０と、ディスクＤを回転させ、記録再生を行うトラバースユニット３０と、ディスクＤを保持する役割を果たすクランプ部材４０と、を備える。
【００２５】
筐体１０は、天板１１１と、天板１１１の両側より略垂直に屈曲する２つの側板１１２と、を有する第１筐体１１と、側板１１２に固定される略平板状の第２筐体１２と、から構成される。また第１筐体１１の天板１１１には、所定の位置に円形の貫通孔１１３が設けられる。
【００２６】
トレイ２０は、略円弧形状の凹部にて形成され、ディスクＤを載置する載置部２１と、載置部２１の中心部分から一方向（筐体１０の長手方向、図１および図２における太矢印方向）に沿って形成される開口穴２２と、トレイ２０が筐体１０に収容された際に、筐体１０の一面（すなわち、ディスク駆動装置１の一面）の一部を構成する壁部２３と、から構成される。
【００２７】
トラバースユニット３０は、ディスクＤを所定の中心軸Ｊ１を中心に回転させるスピンドルモータ３１と、一方向に移動可能であり、ディスクＤの記録再生を行う光ピックアップ機構３２と、光ピックアップ機構３２を一方向に移動させる移動機構３３と、これらを保持するシャーシ３４と、から構成される。またスピンドルモータ３１には、ディスクＤを載置可能とするターンテーブル３１１が設けられる。
【００２８】
クランプ部材４０は、第１筐体１１の天板１１１の貫通孔１１３に固定される。そして、クランプ部材４０は、スピンドルモータ３１のターンテーブル３１１との軸方向の間にてディスクＤを挟むことによって、ディスクＤを保持する。
【００２９】
筐体１０のトレイ２０が筐体１０の一面を形成する一方向の一端面（以下、第１端面１３という）には、側板１１２における第１端面１３および第２筐体１２における一方向の一端面に固定されるフレームが取り付けられる。このフレームにより、第１端面１３のトレイ２０以外の部分を覆う構造となり、筐体１０の外形の一部を構成する。そして、筐体１０における第１端面１３と一方向に反対側の端面（以下、第２端面１４という）には、ディスク駆動装置１と図示しない外部の電源とを接続するコネクタが設けられる。
【００３０】
図３を参照して、トレイ２０がディスクＤを載置した状態にて、筐体１０に収容された際、トラバースユニット３０は、昇降装置（不図示）によって、スピンドルモータ３１のターンテーブル３１１にディスクＤを載置させるように移動する。そして、天板１１１に設けられたクランプ部材４０とターンテーブル３１１とによって、ディスクＤを保持する。このとき、ディスクＤは、トレイ２０の載置部２１と軸方向に間隙が設けられる。
【００３１】
トレイ２０の開口穴２２は、一方向にスピンドルモータ３１とピックアップ機構３２とに対して開口する略長方形状である。ピックアップ機構３２は、開口穴２２の中において一方向に移動し、記録再生を行う。
【００３２】
本実施例のディスク駆動装置１は、筐体１０の長手方向（すなわち、一方向）の寸法Ｌ１が１６９ｍｍであり、長手方向と垂直な方向の寸法Ｌ２が１４５ｍｍである。また筐体１０の軸方向の高さ寸法は、４０ｍｍである。また第１筐体１１の板厚は、０．５ｍｍであり、第２筐体１２の板厚は、０．４ｍｍである。
【００３３】
＜第１筐体１１の形状＞
次に第１筐体１１の形状、特に天板１１１の形状について図４乃至図６を用いて説明する。図４は、第１筐体１１を天板１１１側より見た平面図である。図５は、図４におけるＸ−Ｘ方向に切った模式断面図である。図６は、第１筐体１１を天板１１１側より見た平面図であり、傾斜面１１１５が設けられる領域を示した図である。
【００３４】
図４を参照して、第１筐体１１の天板１１１には、円形の貫通孔１１３の中心から放射状に延びる（すなわち、回転径方向に延びる）、複数の第１リブ１１１１が形成される。また第１端面１３と貫通孔１１３との一方向の間には、一方向に対して垂直に延びる第２リブ１１１２が２つ設けられる。そして、第２端面１４と貫通孔１１３との一方向の間には、一方向に対して垂直に延びる第３リブ１１１３が１つ設けられる。これら第１リブ１１１１、第２リブ１１１２、および、第３リブ１１１３は、天板１１１をディスクＤ側（すなわち、天板１１１の下面側）に凹ませることによって形成される。またこれら第１リブ１１１１、第２リブ１１１２、および、第３リブ１１１３によって、ディスクＤが回転することによって発生するディスクＤの表面の空気の渦による損失（以下、風損という）を低減している。
【００３５】
また図５を参照して、天板１１１の下面には、中央部１１１５ａから側板１１２に向かい上側に傾斜する傾斜面１１１５が形成される。この傾斜面１１１５は、天板１１１の中央部１１１５ａを下側に凹ませることによって形成される。ここで、傾斜面１１１５および中央部１１１５ａを含めて、変形部とする。すなわち、傾斜面１１１５は、天板１１１の中央を一方向に沿って折り曲げることによって形成される。そしてこの傾斜面１１１５は、中央部１１１５ａから側板１１２に向かい連続して形成される。すなわち、傾斜面１１１５は、側板１１２に向かいディスクＤの上面と天板１１１の下面（傾斜面１１１５）との軸方向の距離が大きくなるように形成される。また、中央部１１１５ａは、一方向に沿って形成される。
【００３６】
またこの傾斜面１１１５は、第１端面１３と貫通孔１１３と一方向の間の領域に形成される（図６の点線斜線部分）。第２リブ１１１２に関しても、同様に中央部１１１５ａを折り曲げることによって中央部１１１５ａから側板１１２にかけて傾斜させてもよい（すなわち、天板１１１の上面も下面と同様な傾斜面が形成されてもよい）。
【００３７】
また、天板１１１の中央部１１１５ａは、中心軸Ｊ１から一方向に延びた線上に形成されることが望ましい。これにより、中央部１１１５ａから側板１１２に向かい形成される傾斜面１１１５がディスクＤの回転中心である中心軸Ｊ１に対して回転軸非対称な形状とすることができる。したがって、ディスクＤを回転させることによってディスクＤの上面に発生する回転軸対称の空気の流れを乱すことを低減することができる。その結果、傾斜面１１１５を形成することによって、発生する可能性のある回転軸対称な動圧分布を低減することができ、ディスクＤの面振れが小さい安定回転状態を得ることができる。
【００３８】
＜ディスクＤの面振れ測定＞
次にディスク駆動装置１のディスクＤの面振れ測定の構造および方法について図７を用いて説明する。図７は、ディスク駆動装置１にて駆動されたディスクＤの面振れを測定する測定装置５０を示した模式図である。
【００３９】
測定装置５０は、ディスク駆動装置１に電流を供給する電源５１と、ディスクＤの面振れを光学的に測定する振れ測定部５２と、振れ測定部５２によって測定されたディスクＤの面振れのデータを各周波数に分解するＦＦＴ（高速フーリエ変換装置）５３と、ディスク駆動装置１を載置する防振台５４と、を備える。
【００４０】
ディスク駆動装置１の筐体１０の天板１１１には、一方向に沿った略長方形状の貫通穴（不図示）が設けられる。貫通穴は、ディスクＤの半径内における天板１１１の貫通孔１１３と第２端面１４との間に形成される。そしてこの貫通穴は、ディスクＤの上面を露出させる。また振れ測定部５２は、貫通穴にレーザを照射することによって、ディスクＤの面振れを測定する。
【００４１】
振れ測定部５２によって測定されたディスクＤの面振れのデータは、ＦＦＴ５３によって、周波数毎に分解される。これにより、ディスクＤの面振れがどの周波数によって引き起こされているかを把握することができる。またＦＦＴ５３によるデータは、パーソナルコンピュータ（不図示）を通して、キャンベル線図として表示してもよい。
【００４２】
ここで、ディスク駆動装置１の筐体１０の天板１１１に傾斜面１１１５を設けた本実施例と、天板１１１に傾斜面１１１５を設けない比較用のディスク駆動装置１ａと、のディスクＤの面振れについて図８、および図９を用いて検証する。図８は、ディスク駆動装置１ａによって回転されたディスクＤの面振れの状態を示したキャンベル線図である。そして図９は、ディスク駆動装置１によって回転されたディスクＤの面振れの状態を示したキャンベル線図である。また図８および図９ともに、縦軸を周波数（Ｈｚ）、横軸を回転数（ｒｐｍ）として表示している。なお、本実施例では、ディスクＤを直径１２０ｍｍ、厚さ１．２ｍｍのポリカーボネート製を使用している。
【００４３】
図８を参照して、図中の実線の直線は、ディスクＤの回転１次成分を示している。そして、図中の点線は、ディスクＤの回転数約１／２成分を示している。ここで、ディスクＤの回転１次成分および回転数約１／２成分ともに、１１，０００ｒｐｍ〜１１，５００ｒｐｍの間において、円の大きさが大きくなっていることが分かる。この円の大きさは、ディスクＤの面振れの大きさを示している。
【００４４】
特にディスクＤの面振れの回転数約１／２成分は、１１，５００ｒｐｍ付近にて面振れが大きくなっているが、この原因は、ディスク固有の振動モードが原因であることを見出した。すなわち、本実施例のディスクＤでは、１１，５００ｒｐｍにおける振動モードは、（０，３）モードに略一致することを見出した。すなわち、ディスクＤの回転数約１／２成分とディスクＤの（０，３）モードとが一致して自励振動が発生したことが原因であると推測することができる。ここで、振動モードとして（０，３）モードとして表示したが、これは、ディスクを径方向に分割する振動モードである節円モードが０であり、ディスクを周方向に分割する振動モードである節直径モードが３であることを示している。すなわち、ディスクＤは、図１０を示すように上下方向に変形している（すなわち、図中の＋記号がディスクＤを上側に面振れを発生させ、図中の−記号がディスクＤを下側に面振れを発生させている）。
【００４５】
図９を参照して、図８と同様に図中の実践の直線は、ディスクＤの回転１次成分を示している。そして図中の点線は、ディスクＤの回転数約１／２成分を示している。図８と比較して、ディスク駆動装置１では、１１，０００ｒｐｍ〜１１，５００ｒｐｍの間における円の大きさが小さくなっていることが分かる。すなわち、図８と比較して、ディスクＤの面振れの大きさが小さくなっていることが分かる。したがって、ディスク駆動装置１の天板１１１に傾斜面１１１５を設けることによって、１１，０００ｒｐｍ〜１１，５００ｒｐｍにおける面振れが大幅に小さくなることを見出した。
【００４６】
図９においては、天板１１１の中央部１１１５ａを側板１１２の上端部（すなわち、天板１１１と側板１１２との接続部）からディスクＤ側（すなわち、軸方向下側）に約２．６ｍｍ凹ませて傾斜面１１１５を形成している。本実施例では、特に天板１１１の中央部１１１５ａを下側に約２．６ｍｍ凹ませることによって１１，０００ｒｐｍ〜１１，５００ｒｐｍにおけるディスクＤの面振れの大きな低減効果を得られた。
【００４７】
これにより、ディスクＤを１１，０００ｒｐｍ〜１１，５００ｒｐｍという高速回転にて回転させた場合のディスクＤの面振れに対しては、第１筐体１１の天板１１１における貫通孔１１３（クランプ部材４０）から第１端面１３の一方向の間に、傾斜面１１１５を設けることによって、大幅に低減することができる。
【００４８】
特に、１ｍｍ以上４ｍｍ未満（以下）であれば、ディスクＤの面振れの低減の効果は、顕著に発揮することができる。また中心軸Ｊ１と傾斜面１１１５との成す鋭角θが８５°以上９０°未満であっても同様にディスクＤの面振れの効果を発揮することができる。
【００４９】
特に本実施例では、第１筐体１１に曲げ加工によって、傾斜面１１１５を設けるために、部品点数の増加を伴うことなく、ディスクＤの面振れを低減することができる。したがって、ディスクの面振れによる記録再生のエラーの発生を防ぐ、信頼性の高いディスク駆動装置を安価に提供することができる。
【００５０】
以上、本発明のディスク駆動装置の実施例の一形態について説明したが、本発明は上記実施例に限定されることなく、特許請求の範囲内において、種々の変形が可能である。
【００５１】
例えば、本発明の第１筐体１１の天板１１１は、中央部１１１５ａから側板１１２に向かい傾斜面１１１５が形成されたが、本発明はこれに限定されることはない。例えば、図１１に示すように、中央部１１１５ａの代わりに中心軸Ｊ１と交差する平面部１１１５ｂを設けてもよい。この場合、平面部１１１５ｂの側板１１２ｂに対向する端部より傾斜面１１１６が形成される。また、例えば、図１２に示すように、第１筐体１１ｃの中央部および側板１１２ｃから互いの側板１１２ｃに延びるように、平面部１１１５ｃおよび１１１５ｄをそれぞれ設けてもよい。この場合、平面部１１１５ｃおよび１１１５ｄを連結するように傾斜面１１１７が形成される。
【００５２】
また、例えば、本発明の第１筐体１１の天板１１１に形成された傾斜面１１１５は、平面にて形成されたが、本発明はこれに限定されることはない。例えば、傾斜面を曲面にて形成してもよい。さらに、本発明の実施例においては、筐体１０の第１筐体１１の天板１１１に傾斜面１１１５を設けたが、本発明はこれに限定されることはない。例えば、同様なディスクＤの面振れ低減効果を得るために、トレイ２０もしくは載置部２１を天板１１１と同様な傾斜面形状にしてもよい。さらに載置部２１および天板１１１の両方に傾斜面形状を形成してもよい。
【００５３】
また、例えば、本発明のディスク駆動装置１にはトレイ２０が構成されていたが、本発明はこれに限定されることはない。スピンドルモータ３１にディスクＤが載置された上に高速回転した際における、ディスクＤの一面と、ディスクＤの一面に対向する筐体（例えば、天板１１１）とが、回転軸非対称な構造となればよい。したがって、トレイ方式のディスク駆動装置に限定されることなく、例えば、セルフチャック方式のディスク駆動装置、および、スロットイン方式のディスク駆動装置にも適用することができる。
【図面の簡単な説明】
【００５４】
【図１】本発明のディスク駆動装置の外形を示した、模式斜視図である。
【図２】本発明のディスク駆動装置の内部構造を示した、模式平面図である。
【図３】本発明のディスク駆動装置の内部構造を示した、模式断面図である。
【図４】本発明の第１筐体を示した、上側より見た模式平面図である。
【図５】本発明の第１筐体を示した、Ｘ−Ｘ方向に切った模式断面図である。
【図６】本発明の第１筐体を示した、上側より見た模式平面図であり、傾斜面が設けられる領域を示した図である。
【図７】ディスク駆動装置におけるディスクの面振れを測定する測定装置の模式図である。
【図８】本発明のディスク駆動装置において、図７の測定装置によって測定したディスクＤの面振れ状態を示すキャンベル線図である。
【図９】比較用のディスク駆動装置において、図７の測定装置によって測定したディスクＤの面振れ状態を示すキャンベル線図である。
【図１０】ディスクの振動モードを示す模式図である。
【図１１】本発明の第１筐体の他の実施例を示した、Ｘ−Ｘ方向に切った模式断面図である。
【図１２】本発明の第１筐体の他の実施例を示した、Ｘ−Ｘ方向に切った模式断面図である。
【符号の説明】
【００５５】
１          ディスク駆動装置
１０        筐体
１１        第１筐体
１１１      天板
１１１５    傾斜面
１１１５ａ  中央部
１１２      側板
１１３      貫通孔
１２        第２筐体
１３        第１端面
１４        第２端面
２０        トレイ
２１        載置部
２２        開口穴
３０        トラバースユニット
３１        スピンドルモータ
３１１      ターンテーブル
３２        光ピックアップ機構
３３        移動機構
４０        クランプ部材
５０        測定装置
Ｄ          ディスク
Ｊ１        中心軸
【図１】
2009048700.tif 000003
【図２】
2009048700.tif 000004
【図３】
2009048700.tif 000005
【図４】
2009048700.tif 000006
【図５】
2009048700.tif 000007
【図６】
2009048700.tif 000008
【図７】
2009048700.tif 000009
【図８】
2009048700.tif 000010
【図９】
2009048700.tif 000011
【図１０】
2009048700.tif 000012
【図１１】
2009048700.tif 000013
【図１２】
2009048700.tif 000014